(57)【要約】【課題】表示装置内蔵パネル取付機器において、表示画面のタッチパネル化、大型化を図った場合でも、外形サイズと防水性能を維持する。【解決手段】取付穴が設けられたパネルに筐体を取り付けるパネル取付機器であって、開口部を形成する枠を有し、筐体の前面に固定され、枠を含む背面に形成された縁部がパッキンを介して取付穴周囲と接する前面パネルと、前面パネルの開口部に配置されるタッチセンサと、タッチパネルの後方に配置される表示装置と、表示装置の後方に配置される補強フレームとを備え、補強フレームを前面パネルの枠に固定した表示装置内蔵パネル取付機器。【選択図】図２
2014085313.tif 000002
【特許請求の範囲】
【請求項１】
取付穴が設けられたパネルに筐体を取り付けるパネル取付機器であって、
開口部を形成する枠を有し、前記筐体の前面に固定され、前記枠を含む背面に形成された縁部がパッキンを介して前記取付穴周囲と接する前面パネルと、
前記前面パネルの開口部に配置されるタッチセンサと、
前記タッチパネルの後方に配置される表示装置と、
前記表示装置の後方に配置される補強フレームとを備え、
前記補強フレームを前記前面パネルの枠に固定したことを特徴とする表示装置内蔵パネル取付機器。
【請求項２】
前記補強フレームは、導電性の金属で形成されていることを特徴とする請求項１に記載の表示装置内蔵パネル取付機器。
【請求項３】
前記補強フレームが、前記表示装置の一部あるいは全部を裏面から覆っていることを特徴とする請求項２に記載の表示装置内蔵パネル取付機器。
【請求項４】
前記補強フレームの前記前面パネルの枠への固定は、後面から前面方向へのネジ止めにより行なわれることを特徴とする請求項１〜３のいずれか１項に記載の表示装置内蔵パネル取付機器。
【発明の詳細な説明】
【技術分野】
【０００１】
本発明は、表示装置内蔵パネル取付機器に関し、特に、パネルに取り付けられた状態で前面防水性を確保するための機構に関する。
【背景技術】
【０００２】
表示装置内蔵を内蔵した記録計等の工業用計器では、筐体の外周の大きさで切り抜かれたパネルに嵌め込んで使用できるものがある。このような機器を、ここでは表示装置内蔵パネル取付機器と総称し、記録計を例に説明する。
【０００３】
図９は、パネルに取り付けられた従来の記録計を示している。本図に示すように、記録計３０は、筐体３０１と前面パネル３０２とを備えており、前面パネル３０２の開口部に表示装置３０３が配置されている。
【０００４】
取付パネル４０には、筐体の形状で取付穴が形成されており、記録計３０を取付パネル４０の正面方向から差し込むと、筐体３０１の前方に取り付けられたフランジ３０６（図１１参照）に当たって止まるようになっている。この状態で、取付金具（図１符号１２０参照）を用いて、記録計３０を取付パネル４０に固定する。
【０００５】
フランジ３０６の前面には、パッキン３０５が取り付けられ、前面パネル３０２の背面に形成された縁部がパッキン３０５を介して取付パネル４０の取付穴周囲に接することにより、記録計３０の前面防水性を実現している。
【０００６】
図１０は、従来の前面パネル３０２周辺の構造を説明する図である。本図に示すように、前面パネル３０２は、開口部の裏側から補強と防塵・防水機能とを兼ねたフィルタ３０４が接着されており、フィルタ３０４の背面から表示装置３０３が、前面パネル３０２にネジ止めされている。
【０００７】
図１１は、前面パネル３０２のパッキン３０５周辺の断面図である。本図に示すように、記録計３０の筐体３０１前方には、フランジ３０６が取り付けられており、フランジ３０６と前面パネル３０２の縁部に挟まれるようにパッキン３０５が取り付けられている。パッキン３０５は、前面パネル３０２の縁部に押さえられるため、取付パネル４０と密着し、防水性が実現される。
【０００８】
このとき、前面パネル３０２の縁部には、パッキン３０５の反力により、Ｆ方向への力がかかる。この力はｐで示す箇所を中心にＰ方向に働き、縁部が外側に変形しようとする。しかしながら、幅Ｗ１を有する前面パネル３０２の枠と、前面パネル３０２の枠に接着された補強用のフィルタ３０４とネジ止めされた表示装置３０３によりＧ方向の十分な強度を有しているため、前面パネル３０２の縁部が変形し、防水機能が損なわれることを防いでいる。
【先行技術文献】
【特許文献】
【０００９】
【特許文献１】特願２００６−８０６５４号公報
【発明の概要】
【発明が解決しようとする課題】
【００１０】
近年、様々な分野で画面の大型化が進むとともに、タッチパネルを用いた直感的なユーザインタフェースが普及している。記録計３０の表示装置３０３にも、タッチパネル機能備えさせ、また、画面の大型化を図ると、ユーザの操作性が向上することが期待される。
【００１１】
しかしながら、規格による外形サイズの規制があるため、規格を満たしながら画面を大型化すると、その分、前面パネル３０２の枠幅が細くなる。また、画面の大型化により表示装置３０３自体の強度も従来より弱くなる。さらには、タッチパネル機能を備えると、タッチセンサの感度を確保するため、厚い補強用のフィルタ３０４を用いることができなくなる。
【００１２】
このため、図１１中のＧ方向の強度を確保することが困難になり、前面パネル３０２の縁部の変形を防止できず、パッキン３０５と前面パネル３０２との間に隙間が生じ、規定の防水性能を確保できなくなるおそれが生じる。
【００１３】
そこで、本発明は、表示装置内蔵パネル取付機器において、表示画面のタッチパネル化、大型化を図った場合でも、外形サイズと防水性能を維持することを目的とする。
【課題を解決するための手段】
【００１４】
上記課題を解決するため、本発明の表示装置内蔵パネル取付機器は、取付穴が設けられたパネルに筐体を取り付けるパネル取付機器であって、開口部を形成する枠を有し、前記筐体の前面に固定され、前記枠を含む背面に形成された縁部がパッキンを介して前記取付穴周囲と接する前面パネルと、前記前面パネルの開口部に配置されるタッチセンサと、前記タッチパネルの後方に配置される表示装置と、前記表示装置の後方に配置される補強フレームとを備え、前記補強フレームを前記前面パネルの枠に固定したことを特徴とする。
ここで、前記補強フレームは、導電性の金属で形成することができる。
このとき、前記補強フレームが、前記表示装置の一部あるいは全部を裏面から覆うようにしてもよい。
また、前記補強フレームの前記前面パネルの枠への固定は、後面から前面方向へのネジ止めにより行なうことができる。
【発明の効果】
【００１５】
本発明によれば、表示装置内蔵パネル取付機器において、表示画面のタッチパネル化、大型化を図った場合でも、外形サイズと防水性能を維持することが可能となる。
【図面の簡単な説明】
【００１６】
【図１】本実施形態に係る記録計の外観を示す図である。
【図２】本実施形態の前面パネル周辺の構造を説明する図である。
【図３】本実施形態の前面パネル周辺の構造を背面方向から説明する図である。
【図４】タッチセンサと固定フレームとの取り付けを示す図である。
【図５】表示装置と補強フレームとの取り付けを示す図である。
【図６】前面パネルの組立を示す図である。
【図７】組み立てられた前面パネル周辺を背面側から見た図と断面図である。
【図８】ネジ止めに替えてツメ機構を用いた場合を示す図である。
【図９】パネルに取り付けられた従来の記録計を示す図である。
【図１０】従来の前面パネル周辺の構造を説明する図である。
【図１１】前面パネルのパッキン周辺の断面図である。
【発明を実施するための形態】
【００１７】
本発明の実施の形態について図面を参照して説明する。本実施形態は、本発明の表示装置内蔵パネル取付機器をペーパーレスレコーダに代表される記録計に適用した場合について説明する。
【００１８】
図１は、本実施形態に係る記録計１０の外観を示す図である。本図に示すように、記録計１０は、筐体１０１と前面パネル１０２とを備えており、前面パネル１０２の開口部にタッチパネル式表示装置１０４が配置されている。また、前面パネル１０２のさらに前面には、コの字型の化粧パネル１０３が取り付けられている。
【００１９】
取付パネル４０には、筐体の形状で取付穴が形成されており、記録計１０を取付パネル４０の正面方向から差し込むと、筐体１０１の前方に取り付けられたフランジ１１１（図７参照）に当たって止まるようになっている。この状態で、取付金具１２０を用いて、記録計１０を取付パネル４０に固定する。
【００２０】
フランジ１１１の前面には、パッキン１１０が取り付けられ、前面パネル１０２の背面に形成された縁部がパッキン１１０を介して取付パネル４０の取付穴周囲に接することにより、記録計１０の前面防水性を実現している。記録計１０は、規格を満たすために、従来と同様の外形サイズを維持しており、タッチパネル式表示装置１０４の画面大型化により、前面パネル１０２の枠は、従来よりも細くなっている。
【００２１】
図２は、本実施形態の前面パネル１０２周辺の構造を説明する図である。また、図３は、前面パネル１０２周辺の構造を背面方向から説明する図である。図２、図３に示すように、化粧パネル１０３が取り付けられた前面パネル１０２に対して、裏面から、固定フレーム１０７に嵌め込まれたタッチセンサ１０５、表示装置１０６、補強フレーム１０８の順に取り付けられている。タッチセンサ１０５と表示装置１０６とでタッチパネル式表示装置１０４を構成している。なお、前面パネル１０２の枠に、タッチセンサ１０５の感度に影響を与えない程度の厚さの防塵・防水フィルムを裏側から接着してもよい。
【００２２】
固定フレーム１０７に嵌め込まれたタッチセンサ１０５、表示装置１０６、補強フレーム１０８は、後方から前方へのネジ止めにより前面パネル１０２の枠に固定されている。横方向からのネジ止めはなく、後方からのネジ止めとしているため、奥行き方向にネジ止め穴を形成すればよいため、前面パネル１０２の枠が細くても、確実に各部品を取り付けることができる。なお、補強フレーム１０８は、図３に示した例では、大きな開口部を有した枠状としているが、開口部を狭くし、プレート状として表示装置１０６のほぼ全面あるいは全面を覆うようにしてもよい。
【００２３】
前面パネル１０２周辺の組立の際には、図４に示すように、固定フレーム１０７にタッチセンサ１０５を嵌め込む。固定フレーム１０７は、例えば、板金とすることができる。また、図５に示すように、表示装置１０６を補強フレーム１０８に取り付ける。表示装置１０６は、例えば、液晶表示装置とすることができる。補強フレーム１０８は、剛性の高い金属等で形成する。補強フレーム１０８を鉄、ＳＵＳ、アルミニウム等の導電性金属で形成し、表示装置１０６のほぼ全面もしくは全面を覆うことで、不要輻射を抑えたり、アースとしての機能を担わせることも可能である。
【００２４】
そして、図６（ａ）、図６（ｂ）に示すように、固定フレーム１０７に嵌め込まれたタッチセンサ１０５と、補強フレーム１０８が取り付けられた表示装置１０６とを重ねて前面パネル１０２に裏側から取り付ける。このように、タッチセンサ１０５と表示装置１０６とを一体型とせずに、別体として重ねて取り付けることにより、製造時にタッチセンサ１０５と表示装置１０６との間に埃等が混入した場合でも容易に取り除くことができるようにしている。
【００２５】
図７（ａ）は、組み立てられた前面パネル１０２周辺を背面側から見た図である。図７（ｂ）は、枠部におけるネジ止め箇所のＡ−Ａ断面図であり、図７（ｃ）は、枠部におけるネジ止め箇所以外のＢ−Ｂ断面図である。
【００２６】
図７（ｂ）に示すように、表示装置１０６、固定フレーム１０７、タッチセンサ１０５が取り付けられた補強フレーム１０８がネジ１０９により前面パネル１０２に固定されている。このような構造により、補強フレーム１０８の強度が前面パネル１０２の枠に伝えられることになる。
【００２７】
このため、図７（ｃ）に示すように、前面パネル１０２の幅が従来より細いＷ２であり、厚みのある補強用のフィルタが前面パネル１０２の開口部周囲に接着されていなくても、パッキン１１０からの反力Ｆに対してＧ方向の十分な強度が確保でき、縁部の変形を防ぐことができ、規定の防水性能を確保することができる。
【００２８】
なお、補強フレーム１０８の前面パネル１０２への固定は、ネジ止めに限定されない。例えば、図８（ａ）の前面パネル１０２について、上辺の固定は図８（ｂ）のＡ−Ａ断面図に示すように、ラッチ機構１１２で固定し、横辺の固定は図８（ｂ）のＢ−Ｂ断面図に示すように、ネジ１０９で固定するようにしてもよい。図８（ｂ）のＡ−Ａ断面図に示した例では、ラッチ機構１１２が、前面パネル１０２の縁部が外側に変形しようとする力を防いでいる。もちろん補強フレーム１０８の前面パネル１０２への固定方法は、他の組み合わせであってもよい。
【符号の説明】
【００２９】
１０…記録計、３０…記録計、４０…取付パネル、１０１…筐体、１０２…前面パネル、１０３…化粧パネル、１０４…タッチパネル式表示装置、１０５…タッチセンサ、１０６…表示装置、１０７…固定フレーム、１０８…補強フレーム、１０９…ネジ、１１０…パッキン、１１１…フランジ、１１２…ラッチ機構、１２０…取付金具、３０１…筐体、３０２…前面パネル、３０３…表示装置、３０４…フィルタ、３０５…パッキン、３０６…フランジ
【図１】
2014085313.tif 000003
【図２】
2014085313.tif 000004
【図３】
2014085313.tif 000005
【図４】
2014085313.tif 000006
【図５】
2014085313.tif 000007
【図６】
2014085313.tif 000008
【図７】
2014085313.tif 000009
【図８】
2014085313.tif 000010
【図９】
2014085313.tif 000011
【図１０】
2014085313.tif 000012
【図１１】
2014085313.tif 000013